【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
遊技盤の遊技領域に配置された可動部材と、可動部材を第１位置と第２位置との間で移動させる駆動手段とを備える遊技機において、
前記可動部材は、前記第１位置から前記第２位置に移動するのに伴って前記遊技領域において露出する量が多くなるように構成され、
前記駆動手段により前記第１位置と第２位置との間を移動され、前記可動部材が固定される支持部材と、
前記支持部材に回動可能に支持されるとともに、複数の発光手段が配設された発光部材と、を備え、
前記駆動手段により前記可動部材を前記第１位置から前記第１位置よりも露出する量が多くなる前記第２位置に移動させた際に、前記発光部材が前記可動部材を照射し、
前記駆動手段により前記可動部材を前記第２位置から前記第１位置に移動させた際は、前記遊技盤に対する前記可動部材の角度を維持させつつ前記可動部材に対する前記発光部材の角度を変化させ、前記発光部材が前記第２位置における照射方向とは異なる方向を照射することを特徴とする遊技機。
【手続補正２】
【補正対象書類名】明細書
【補正対象項目名】０００８
【補正方法】変更
【補正の内容】
【０００８】
前記目的を達成するため請求項１に係る遊技機は、遊技盤の遊技領域に配置された可動部材と、可動部材を第１位置と第２位置との間で移動させる駆動手段とを備える遊技機において、前記可動部材は、前記第１位置から前記第２位置に移動するのに伴って前記遊技領域において露出する量が多くなるように構成され、前記駆動手段により前記第１位置と第２位置との間を移動され、前記可動部材が固定される支持部材と、前記支持部材に回動可能に支持されるとともに、複数の発光手段が配設された発光部材と、を備え、前記駆動手段により前記可動部材を前記第１位置から前記第１位置よりも露出する量が多くなる前記第２位置に移動させた際に、前記発光部材が前記可動部材を照射し、前記駆動手段により前記可動部材を前記第２位置から前記第１位置に移動させた際は、前記遊技盤に対する前記可動部材の角度を維持させつつ前記可動部材に対する前記発光部材の角度を変化させ、前記発光部材が前記第２位置における照射方向とは異なる方向を照射することを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００６２
【補正方法】変更
【補正の内容】
【００６２】
尚、本発明は前記実施形態に限定されるものではなく、本発明の要旨を逸脱しない範囲内で種々の改良、変形が可能であることは勿論である。
例えば、前記実施形態では、可動部材２１の内部に発光部材２２を配置して可動部材２１の移動に伴う遊技領域４からの露出状態に対応して、発光部材２２のＬＥＤ４６により可動部材２１の露出部分を効率的に照射するように構成したが、これに限らず、遊技領域４からの露出量が変化する各種の可動役物をその外部から又は内部から発光部材２２により照射することや、可動部材２１の内部から可動部材の周辺に配置された部材（例えば液晶モジュール）を照射するように構成することも可能である。
また、本実施形態では、駆動モータ３３の駆動により可動部材２１及び発光部材２２の移動と発光部材２２の回動を同時に行っているが、これに限らず、可動部材２１の移動と発光部材２２の移動、回動をそれぞれ別の駆動源を用いて行ってもよい。
更に、本実施形態では、駆動源として駆動モータ３３を使用しているが、これに限らず、リニアモータ等により可動部材２１と発光部材２２の移動を行ってもよい。
また、発光部材２２に配置される発光源としてＬＥＤ４６を使用しているが、これに限らず、通常の汎用ランプを使用してもよい。
（付記）
また、本発明に係る遊技機を具体化した実施例について上記に説明したが、遊技機は以下の構成を有することも可能であり、その場合には以下の効果を奏する。
例えば、第１の構成は以下のとおりである。
遊技盤の遊技領域に配置された可動部材と、可動部材を第１位置と第２位置との間で移動させる駆動手段とを備える遊技機において、前記駆動手段により前記第１位置と第２位置との間を移動され、前記可動部材が固定される支持部材と、前記支持部材に回動可能に支持されるとともに、複数の発光手段が配設された発光部材と、を備え、前記駆動手段により前記可動部材を前記第１位置から前記第２位置に移動させた際に、前記発光部材が前記可動部材を照射し、前記駆動手段により前記可動部材を前記第２位置から前記第１位置に移動させた際は、前記遊技盤に対する前記可動部材の角度を維持させつつ前記可動部材に対する前記発光部材の角度を変化させ、前記発光部材が前記第２位置における照射方向とは異なる方向を照射することを特徴とする。
上記構成を有する遊技機によれば、駆動手段により可動部材を第１位置から第２位置まで移動させた際に発光部材が可動部材を照射するとともに、駆動手段により可動部材を第２位置から第１位置まで移動させた際は遊技盤に対する可動部材の角度を維持させつつ可動部材に対する発光部材の角度を変化させて発光部材が第２位置における照射方向とは異なる方向を照射するので、可動部材が第１位置に存在する場合と第２位置に存在する場合とで、発光部材による可動部材の照射状態を変化させることができる。
また、第２の構成は以下のとおりである。
前記可動部材は、前記駆動手段により前記第２位置に移動した際に前記遊技領域にて前記可動部材の全体が露出し、前記第１位置に移動した際は前記遊技領域にて前記可動部材の一部が露出するように構成され、前記駆動手段により前記可動部材を前記第１位置から前記第２位置に移動させた際に、前記発光部材は、前記支持部材によって前記可動部材に対して平行な状態で保持されると共に前記発光手段を発光させることにより前記遊技領域にて露出した前記可動部材の全体に向けて照射し、前記駆動手段により前記可動部材を前記第２位置から前記第１位置に移動させた際に、前記発光部材は、前記支持部材によって前記可動部材に対して所定角度傾斜した状態で保持されると共に前記遊技領域にて露出した前記可動部材の一部に向けて照射することを特徴とする。
上記構成を有する遊技機によれば、駆動手段により可動部材を第１位置から第２位置に移動させた際に発光部材は支持部材によって可動部材に対して平行な状態で保持されると共に発光手段を発光させることにより遊技領域にて露出した可動部材の全体に向けて照射し、また、駆動手段により可動部材を第２位置から第１位置に移動させた際に発光部材は支持部材によって可動部材に対して所定角度傾斜した状態で保持されると共に遊技領域にて露出した可動部材の一部に向けて照射するので、第２位置では遊技領域に対して平行に保持された発光部材の各発光手段を介して、遊技領域で露出された可動部材の全体を効率的に照射することができ、また、第１位置では遊技領域に対して所定角度傾斜して保持された発光部材の各発光手段を介して、遊技領域で露出された可動部材の一部を効率的に照射することができる。このように、第１位置及び第２位置のいずれにおいても、遊技領域における可動部材の露出状態にフレキシブルに対応して可動部材を照射することを可能とし、照明装置の有効利用を図ることができるものである。
また、第３の構成は以下のとおりである。
前記遊技盤内に固定されるとともに遊技領域に対して所定角度傾斜した誘導案内部が設けられ、前記駆動手段を介して前記支持部材と共に前記発光部材を誘導案内部に沿って誘導案内する誘導案内部材を備え、前記駆動手段により前記可動部材を前記第１位置から前記第２位置まで移動させる間に、前記発光部材は、前記誘導案内部材の誘導案内部により第１方向に誘導案内されつつ回動され、前記可動部材に対して平行な状態で保持され、前記駆動手段により前記可動部材を前記第２位置から前記第１位置まで移動させる間に、前記発光部材は、前記誘導案内部材の誘導案内部により前記第１方向とは逆の第２方向に誘導案内されつつ回動され、前記可動部材に対して所定角度傾斜した状態で保持されることを特徴とする。
上記構成を有する遊技機によれば、可動部材の第１位置から第２位置への移動又は第２位置から第１位置への移動に対応して、発光部材を可動部材に対して平行な状態に保持し、また、発光部材を可動部材に対して所定角度傾斜した状態に保持するについて、遊技盤内に固定されるとともに遊技領域に対して所定角度傾斜した誘導案内部が設けられ、駆動手段を介して支持部材と共に発光部材を誘導案内部に沿って誘導案内する誘導案内部材を配設したので、支持部材に回動可能に支持された発光部材は、誘導案内部材の誘導案内部に沿って誘導案内されることにより回動されつつ、第１位置にて可動部材に対して所定角度傾斜した状態で保持され得、また、第２位置にて可動部材に対して平行な状態に保持され得る。
また、第４の構成は以下のとおりである。
前記可動部材が前記第１位置から前記第２位置まで移動される間又は前記第２位置から前記第１位置まで移動される間、前記遊技領域における前記可動部材の露出状態は徐々に変化し、前記可動部材の露出状態に対応して、前記発光部材は徐々に回動されるとともに、各発光手段を発光させることにより遊技領域にて露出された可動部材を照射することを特徴とする。
上記構成を有する遊技機によれば、可動部材が第１位置から第２位置まで移動される間又は第２位置から第１位置まで移動される間、遊技領域における可動部材の露出状態は徐々に変化し、可動部材の露出状態に対応して発光部材は徐々に回動されるとともに各発光手段を発光させることにより遊技領域にて露出された可動部材を照射するので、可動部材が移動可能な第１位置と第２位置の間においても、可動部材の移動に基づく可動部材の遊技領域における露出状態にフレキシブルに対応して可動部材を照射することを可能とし、照明装置の有効利用を図ることができる。